(57)【特許請求の範囲】
【請求項１】
床面に沿う前進、後退移動を可能とする床台と、この床台に配設された複数の可倒式の椅子とを備え、前記床台を前進移動させると共に、前記可倒式の椅子を着座可能な起立姿勢に保持する一方、前記床台を後退移動させると共に、前記可倒式の椅子を傾倒姿勢に保持して収納する移動観覧席であって、  前記床台の前面および後面の少なくとも一方に、該前面または後面に沿って昇降移動可能で、かつ、降下姿勢でもって前記床面から該前面または後面に至るまでの空間領域を覆い隠す幕板を設け、 前記幕板が、パネル本体と、前記床台に固定保持されるブラケットと、このブラケットおよび該パネル本体にそれぞれ枢軸を介して回動可能に連結するリンクとからなり、 前記ブラケットおよび前記パネル本体の少なくとも一方に、前記リンクにつながる枢軸のスライドを許容する孔を設け、 前記パネル本体の上部に前記ブラケットの係止片に連係して前記幕板の降下姿勢を維持する上フックを設けるとともに、前記パネル本体の下部に前記ブラケットの係止片に連係して前記幕板の上昇姿勢を維持する下フックを設けたことを特徴とする移動観覧席。
【請求項２】
前記ブラケットは、前記幕板の上昇姿勢において、前記枢軸を受ける受け座を有することを特徴とする請求項１記載の移動観覧席。
【請求項３】
前記床台は、前進移動によって階段状に展開され、後退移動によって前方に位置する床台を後方に位置する床台の下側に位置せしめて前記可倒式の椅子と共に上下方向に整列させる伸縮式の床台からなることを特徴とする請求項１または２に記載の移動観覧席。
【請求項４】
前記床台は、同一平面を有し、該平面上に可倒式の椅子を配列した平置き式の床台からなることを特徴とする請求項１または２に記載の移動観覧席。
【発明の詳細な説明】
【技術分野】
【０００１】
本発明は、使用時に床台を前進移動させ、使用後においては、該床台を後退移動させて収納する移動観覧席に関するものである。
【背景技術】
【０００２】
従来、移動観覧席としては、可倒式の椅子を横並びに複数配列した床台の列を、前進移動させて階段状に展開して該椅子を着座可能な起立姿勢に保持する一方、使用後においては、該床台の列を、後退移動させて前側に位置する床台を、後側に位置する床台の下側に順次位置せしめて傾倒姿勢に保持した椅子と共に上下に整列させて収納するようにした伸縮式の移動観覧席が知られている。
【０００３】
また、同一平面を有する床台の上に可倒式の椅子を配列し、該床台をそのままの状態で前進移動あるいは後退移動させて展開姿勢、収納姿勢に保持するようにした平置き式の移動観覧席も知られており、これらの移動観覧席の敷設により、近年、体育館や劇場等では、館内を多目的に使用することができるようになっている。
【０００４】
従来のこの種の観覧席は、伸縮式、平置き式の違いに係わらず、とくに最前列における床台の立ち上がり部分（階段でいう蹴上部）に隙間ができるため、観覧者が通路を通る際に、ここに足を引っ掛けてしまうおそれがあるうえ、異物が侵入することが懸念され、これを防ぐことを目的としてその部位に幕板が設置されている。
【０００５】
しかし、前記幕板は、板本体をヒンジを介して床台の上端部に揺動可能に連結された構造からなっており、床台と幕板をつなぐヒンジがそのまま外側から視認されることから、見栄えがよいとはいえないものであった。
【０００６】
また、観覧席の収納時には、板本体を床台の上部に引き起こして別途用意した止め板を差し込んで固定しておく必要があり、該止め板の紛失防止のための面倒な管理も必要になっていた。
【０００７】
この点に関する先行技術として特許文献１には、フロントパネルを有する複数の段床を具備した移動観覧席において、前記段床に、フロントパネルの上縁と略面一な通路部を設け、この通路部の終端に昇降ステップを設け、該昇降ステップを、ステップ昇降手段により、次段のフロントパネルの下縁よりも下位に設定した下降位置とその下縁と上縁との中間に設定した上昇位置との間で昇降動作させるようにしたものが開示されている。
【先行技術文献】
【特許文献】
【０００８】
【特許文献１】特開平７―２７９４５５号公報
【発明の開示】
【発明が解決しようとする課題】
【０００９】
ところで、上記の特許文献１に開示された移動観覧席は、フロントパネルが床台に一体連結された構造からなるものであり、上記のような問題は生じないものの、該パネルの下端と床面との間にある程度、隙間を確保しておかなければ、該床台を前後にスライドさせる際に、該パネルが床面に接触して傷をつけてしまうおそれがあるため、該隙間を完全になくすことができるものではなかった。
【００１０】
そこで、本発明の目的は、簡素化された構造を有し、ヒンジが外観から見える等、見栄えを損うことなしに、蹴上げ部における隙間を確実に閉塞させることが可能であり、しかも、収納庫への収納に際しても見栄えを損なうことのない移動観覧席を提案するところにある。
【課題を解決するための手段】
【００１１】
本発明は、上述したような従来の課題を解決するためになされたものである。
すなわち、床面に沿う前進、後退移動を可能とする床台と、この床台に配設された複数の可倒式の椅子とを備え、前記床台を前進移動させる共に、前記可倒式の椅子を着座可能な起立姿勢に保持する一方、前記床台を後退移動させると共に、前記可倒式の椅子を傾倒姿勢に保持して収納する移動観覧席であって、前記床台の前面および後面の少なくとも一方に、該前面または後面に沿って昇降移動可能で、かつ、降下姿勢でもって前記床面から該前面に至るまでの空間領域を覆い隠す幕板を設け、
前記幕板を、パネル本体と、前記床台に固定保持されるブラケットと、このブラケットおよび該パネル本体にそれぞれ枢軸を介して回動可能に連結するリンクとから構成し、前記ブラケットおよび前記パネル本体の少なくとも一方に、前記リンクにつながる枢軸のスライドを許容する孔を設け、前記パネル本体の上部に前記ブラケットの係止片に連係して前記幕板の降下姿勢を維持する上フックを設けるとともに、前記パネル本体の下部に前記ブラケットの係止片に連係して前記幕板の上昇姿勢を維持する下フックを設けたことを特徴とする移動観覧席である。
【００１２】
上記の構成からなる移動観覧席においては、
１）前記ブラケットに、前記幕板の上昇姿勢において、前記枢軸を受ける受け座を有すること、
２）前記床台を、前進移動によって階段状に展開され、後退移動によって前方に位置する床台を、後方に位置する床台の下側に位置せしめて前記可倒式の椅子と共に上下方向に整列させる伸縮式の床台とすること、また、
３）前記床台を、同一平面を有し、該平面上に可倒式の椅子を配列した平置き式の床台とすること、
が、本発明の課題解決のための具体的手段として好ましい。
【発明の効果】
【００１３】
上記の構成からなる本発明によれば、幕板を床台の前面で昇降移動させることができるように構成し、該幕板を降下姿勢でもって床面から床台に至るまで間に形成される隙間（空間領域）を覆うようにしたため、簡単な仕組みでもって該隙間を確実に閉塞させることができる。
【００１４】
また、本発明に係る移動観覧席によれば、床台を、前進移動、後退移動させる際には、該幕板を上昇姿勢に保持しておくことで該幕板が床に接触して擦り傷を発生するのを回避することが可能となる。
【００１５】
しかも、本発明に係る移動観覧席によれば、床台を、可倒式の椅子と共に収納庫に収納する際、幕板によって収納庫の出入り口に形成される隙間を隠すことが可能であり、これにより、収納状態における見栄えがよくなると共に、収納庫への異物の侵入も防止できる。
【００１６】
また、本発明に係る移動観覧席によれば、前記幕板を、パネル本体と、前記床台に固定保持されるブラケットと、このブラケットおよび該パネル本体にそれぞれ枢軸を介して回動可能に連結するリンクからなるものとし、前記ブラケットおよび前記パネル本体の少なくとも一方に、前記リンクにつながる枢軸のスライドを許容する孔を設け、前記パネル本体の上部および下部に、前記ブラケットの係止片に連係して前記幕板の降下姿勢および上昇姿勢を維持する上フックおよび下フックをそれぞれ設けるようにしたため、部材の連結構造が外側から視認されることがなく、見栄えが損なわれることがない。
【００１７】
上記の構成において、ブラケットに、幕板の上昇姿勢において枢軸を受ける受け座を設けるようにした本発明に係る移動観覧席によれば、収納状態において、幕板をブラケットに確実に保持しておくことが可能となり、該幕板の上昇姿勢の安定化を図ることができる。
【００１８】
また、上記の構成において床台を、前進移動によって階段状に展開し、後退移動によって前方に位置する床台を後方に位置する床台の下側に位置せしめて前記可倒式の椅子と共に上下方向に整列させる伸縮式の床台とするようにした本発明に係る移動観覧席によれば、コンパクトな収納が可能となる。
【００１９】
さらに、上記の構成において床台を、同一平面を有し、該平面上に可倒式の椅子を配列した平置き式の床台とするようにした本発明に係る移動観覧席によれば、ステージの床下を収納庫として利用することが可能となり、スペースの有効活用を図ることができる。
【図面の簡単な説明】
【００２０】
【図１】本発明に従う移動観覧席の実施の形態を展開状態で示した正面図である。
【図２】図１に示した移動観覧席の側面を示した図である。
【図３】図１に示した移動観覧席の収納状態を示した図である。
【図４】図１に示した移動観覧席の要部の外観斜視図である。
【図５】図１に示した移動観覧席に設けた幕板の構成説明図（収納状態を示した図）である。
【図６】図１に示した移動観覧席に設けた幕板の外観斜視図である。
【図７】図１に示した移動観覧席に設けた幕板の構成説明図（展開状態を示した図）である。
【図８】（ａ）〜（ｄ）は、本発明に従う移動観覧席に設けた幕板の収納、展開要領の説明図である。
【図９】本発明に従う移動式観覧席（平置き式移動観覧席）の他の実施の形態を示した図である。
【図１０】図９に示した移動観覧席の収納状態を、部分的に拡大して示した図である。
【発明を実施するための形態】
【００２１】
以下、図面を参照して、本発明をより具体的に説明する。
図１〜３は、本発明に従う移動観覧席（伸縮式）の実施の形態を模式的に示した図であり、図１は、移動観覧席を展開状態で示した正面図、図２は、図１に示した移動観覧席の側面を示した図、そして、図３は、図１に示した移動観覧席の収納状態を示した図である。
【００２２】
図１〜３における符号１は、体育館や劇場の床、２は、前方（図２の紙面左側を前方とする）から後方（図２の紙面右側を後方とする）に向けて順次に配列された６列の例で示した床台である。
【００２３】
各床台２は、その要部の外観を図４に示したように、前後方向に延びる棒状体を間隔をあけて横並び配置した複数本の腕材２aと、移動観覧席の幅方向に沿う向きに配置され、該腕材２ａをその先端部、後端部にて保持する複数本の貫材２ｂと、各貫材２ｂを、腕材２ａと共に支持する複数本の支柱からなる脚部２ｃによって支えられている（必要に応じて補強用の傾斜ブレースが配置される）。
【００２４】
また、３は、移動用ローラーである。この移動用ローラー３は、脚部２ｃの下端に設けられるものであって、この移動用ローラー３により、各床台２は、床１（床面）に沿って前後に移動することができるようになっている。
【００２５】
また、４は、床台２に横並びに配設された可倒式の椅子、５は、最前列に位置する床台１の前面に配置された幕板である。
【００２６】
幕板５は、この例では、図１に示すように、観覧席の幅方向に沿う向きに３枚配列した状態で示してある。
【００２７】
上記の幕板５は、その要部を拡大して図５、図６に示すように、長尺のパネル本体５ａと、床台２の前面にねじ等の締結手段にて固定保持される、コの字状のブラケット５ｂ（切り欠き凹部を有する下側片５ｂ１と、上側片５ｂ２およびこれら各片をそれぞれその端部でつなぐ起立片５ｂ３からなる）と、このブラケット５ｂの下側に設けられた垂下片５ｂ４および該パネル本体５ａのブラケット５ａ１にそれぞれ枢軸ｓ１、ｓ２を介して回動可能につながるリンク５ｃからなっている。
【００２８】
また、６は、ブラケット５ｂの垂下片５ｂ４に設けられた孔である。この孔６は、この例では、長孔として示してあり、該孔６が形成された範囲内で該枢軸ｓ２を移動させることができるようになっている。
【００２９】
さらに、７は、パネル本体５ａの上部に設けられたフック（上フック）、８は、パネル本体５aの下部に設けられたフック（下フック）、そして、９は、ブラケット５ｂの上側片５ｂ２に設けられ、フック７、８の爪部７ａ、８ａを引っ掛けるためのスリット、１０は、ブラケット５ｂに設けられた受け座である。
【００３０】
ここで、上記孔６による枢軸ｓ２の移動により、リンク５ｃが該枢軸ｓ２と同等の範囲で移動することとなり、これにより、フック７、８は、スリット９に対する引っ掛けと取り外しを確実に行うことができるようになっている。なお、上記の孔６は、リンク５ｃを傾動させることでフック７、８をスリット９に引っ掛けたり、取り外したりできる場合には、丸孔を適用することもできる。
【００３１】
上記フック７、８は、ねじの如き締結部材によってパネル本体５ａに固定保持される。また、枢軸ｓ１を軸支するブラケット５ａ１は、フック８に設けた場合について示したが、該パネル本体５ａに直接設けることもできる。
【００３２】
受け座１０は、枢軸ｓ１を受けるためのものであって、その先端部には、枢軸ｓ１を受けた際の脱落を防止するために上向きに屈曲（湾曲させてもよい）させた屈曲片１０ａが設けられている。
【００３３】
また、１１は、パネル本体５ａの上端部に設けられたカバー（図６ではカバー１１の表示は省略してある）であり、上掲図２、図３における符号１２は、最前列に位置する床台２の前方に設けられたＬ字形状をなす垂れカバー（幕板５の背面に位置している）、１３は、最前列の床台２を除く床台２の先端に設けられたコの字形状をなす起立カバー、そして、１４は、移動観覧席を収納する収納庫である。
【００３４】
上記垂れカバー１２、起立カバー１３は、図３に示したように、移動観覧席を収納庫１４に収納した状態で、該収納庫１４の出入り口を塞ぐようになっており、これにより、移動観覧席の収納状態における見栄えがよくなると共に収納庫１４への異物の侵入が防止される。
【００３５】
上記の構成からなる移動観覧席は、床台２を前進移動させ、各床台２の、階段状への展開によって可倒式の椅子４を着座可能な起立姿勢に保持した状態では、幕板５のパネル本体５ａは、図５に示すように、下降姿勢におかれることになる。
【００３６】
この下降姿勢でパネル本体５ａは下死点に位置することとなり、このとき、フック７がスリット９に入り込む。これにより、パネル本体５ａがブラケット５ｂに固定され、床面１から床台２において形成される空間領域は、該パネル本体５ａによって覆い隠され、観覧者の足が誤って該空間領域に入り込むことはないし、異物が侵入することもない。
【００３７】
一方、床台２を、後退移動させ、前側に位置する床台２を後側に位置する床台２の下側にそれぞれ位置せしめて各床台を、傾倒姿勢に保持した前記椅子と共に上下方向に整列して収納庫１４に収納する際には、幕板５のパネル本体５ａは、図７に示すように、上昇姿勢におかれることになる。
【００３８】
この上昇姿勢でパネル本体５ａは上死点に位置することとなり、フック８の爪部８ａがスリット９に入り込み、枢軸ｓ１は受座１０に置かれることとなり、床面１から床台２に至るまでの間には大きな隙間が形成されるため、床台２を可倒式の椅子４とともに後退移動させても、該幕板５が床面１に接触して傷をつけることがない。
【００３９】
図８（ａ）〜（ｄ）に、幕板５を収納姿勢（上昇姿勢）から、展開姿勢（下降姿勢）に移行させる場合の具体的な手順を示す。
【００４０】
幕板５を収納姿勢から展開姿勢に移行させるには、まず、図８（ｂ）に示すように、幕板５を持ち上げ、フック８を外してリンク５ｃを回動させ、図８（ｃ）に示すように、該幕板５を降下させる。そしてフック７を、図８（ｄ）に示す如く、ブラケット５ｂに形成したスリット９に引っ掛ければよい。
【００４１】
幕板５を収納姿勢に移行させるには、図８（ａ）〜（ｄ）の逆手順に従えばよい。
【００４２】
上記のブラケット５ｂ、リンク５ｃ、フック７、フック８は、パネル本体５ａの長手方向の複数個所に設けるのが好適であり、これによって、幕板５の下降姿勢、上昇姿勢を安定的に保持することができる。
【００４３】
なお、図示はしないが、本発明では、パネル本体５ａまたは床台２に上下方向に延びるガイドレールを設け、もう一方に、該ガイドレールに沿って移動可能なスライダーを設けることで幕板５を昇降移動させるようにしてもよい。
【００４４】
また、本発明では、孔６を、ブラケット５ｂの垂下片５ｂ４に設けた例について示したが、該孔６は、枢軸ｓ１側に設けることも可能であり、この点については、限定されない。
【００４５】
図９は、本発明に従う移動観覧席の実施の形態を、同一平面を有する床台を備えた平置き式の移動観覧席に適用した場合について示したものである。
【００４６】
かかる移動観覧席は、該移動観覧席の展開状態で、ステージ１６に最も近い側が床台１５の前面となり、該前面には、伸縮式の移動観覧席と同等の構成からなる幕板５が配置される。
【００４７】
この例の場合、幕板５を下降姿勢に保持することで、床面から床台１５に至るまでの間に形成される隙間を確実に覆い隠すことができ、これにより、観覧者が該隙間に足をとられるおそれがなくなると共に、異物の侵入も回避し得る。また、連結部材の視認により見栄えが損なわれることもない。
【００４８】
移動観覧席の前進移動、後退移動に際しては、幕板５を上昇姿勢に保持することで床台１５の後退移動によって該幕板５が床に接触して擦り傷が発生するのを防止することができる。
【００４９】
平置き式の移動観覧席においては、ステージ１６の床下を収納庫１７とするのが普通であり、該移動観覧席の収納に際しては、その後端、すなわち、床台１５の後面がステージ１６の前面に位置することになる。
【００５０】
このため、平置き式の移動観覧席については、図１０に示すように、床台１５の後面にも上記の幕板５を設けるのが好ましい。
【００５１】
床台１５の後面に幕板５を設け、移動観覧席の収納時に、該幕板５を上昇姿勢に保持しておくことにより、収納庫の出入り口に形成される隙間をなくすことが可能となり、収納状態における見栄えが損なわれることはなくなり、また、収納庫１７への異物の侵入も回避される。
【００５２】
平置き式の床台１５は、床台１５が単一部材で構成してもよいし、同一平面が形成されるように、複数の床台１５をつなぎ合わせて構成してもよく、この点についてはとくに限定されない。
【００５３】
なお、上掲図９に示した平置き式の移動観覧席において、該移動観覧席の前面に、該移動観覧席を移動させる移動機構が連結されている場合には、床台１５の前面に配置される幕板５の設置は省略される。
【産業上の利用可能性】
【００５４】
本発明によれば、観覧席の最前列において形成される床面〜床台間の空間領域を、床面に擦り傷を発生させることなしに簡単な構造のもとで確実に覆い隠すことができる。
【００５５】
また、本発明によれば、幕板の構成部材が外面側に表れることがないので、見栄えが損なわれることがない。
【００５６】
さらに、本発明によれば、移動観覧席を収納する際、幕板によって収納庫の出入り口の隙間をなくすことが可能となり、これにより見栄えが損なわれることはなく、異物の侵入を防止することができる。
【符号の説明】
【００５７】
１      床面
２      床台
２ａ    腕材
２ｂ    貫材
２ｃ    脚部
３      移動用ローラー
４      可倒式椅子
５      幕板
５ａ    パネル本体
５ｂ    ブラケット
５ｃ    リンク
６      孔
７      フック（上）
７ａ    爪部
８      フック（下）
８ａ    爪部
９      スリット
１０    受座
１０ａ  屈曲片
１１    カバー
１２    垂れカバー
１３    起立カバー
１４    収納庫
１５    床台
１６    ステージ
１７    収納庫
ｓ１      枢軸
ｓ２      枢軸 
【図１】
0005358798.tif 000002
【図２】
0005358798.tif 000003
【図３】
0005358798.tif 000004
【図４】
0005358798.tif 000005
【図５】
0005358798.tif 000006
【図６】
0005358798.tif 000007
【図７】
0005358798.tif 000008
【図８】
0005358798.tif 000009
【図９】
0005358798.tif 000010
【図１０】
0005358798.tif 000011